(57)【要約】【課題】  端末装置の状態に応じて少なくともメール読み上げ機能のオンオフ制御を容易に行うことが可能な携帯通信端末装置を提供する。【解決手段】  携帯通信端末装置１は電子メールを受信すると、現在の設定が受信メールの音声自動読み上げ設定となっていれば、受信した電子メール情報に、予めユーザによって設定された特定条件が含まれていれば、状態検出部２２による端末装置の状態の検出結果が所定端末条件と一致しない時に音声合成出力を行わない。携帯通信端末装置１は所定端末条件と一致した時に予め選択・設定された合成音声情報に基づいて、音声変換・合成部２４にて電子メール情報を音声信号に変換し、報知用のスピーカ１９から音声出力する。【選択図】      図１                                                  
2005250710.tif 000002
【特許請求の範囲】
【請求項１】
テキスト情報を音声情報に変換して出力する音声変換手段を含む携帯通信端末装置であって、
受信した電子メール情報が予め記憶された特定条件と一致しているか否かを判定する判定手段と、前記音声変換手段による前記電子メール情報の音声変換を制御する制御手段と、自装置の使用状態が予め設定された所定端末条件に一致しているか否かを検出する端末条件検出手段とを有し、
前記判定手段にて前記電子メール情報が前記特定条件に一致していると判定されかつ前記状態検出手段にて自装置の使用状態が前記所定端末条件に一致していることが検出された時に、前記制御手段が前記音声変換手段を介して前記電子メール情報を音声変換して出力するよう制御することを特徴とする携帯通信端末装置。
【請求項２】
前記判定手段は、受信した電子メール情報の送信者情報と、前記受信した電子メール情報に含まれる文字及び文字列と、記号とのうちの少なくとも一つを前記特定条件として前記受信した電子メール情報の一致判定を行うことを特徴とする請求項１記載の携帯通信端末装置。
【請求項３】
前記制御手段は、前記特定条件に応じて予め設定された音声情報に基づいて前記電子メール情報を音声変換するように前記音声変換手段を制御することを特徴とする請求項１または請求項２記載の携帯通信端末装置。
【請求項４】
前記音声情報は、少なくとも音質、音量、語調、速度のいずれかを含むことを特徴とする請求項３記載の携帯通信端末装置。
【請求項５】
前記制御手段は、前記電子メール情報の音声変換に際して前記特定条件及び前記所定端末条件のうちの少なくとも一方に応じて予め設定された効果音情報を出力するように前記音声変換手段を制御することを特徴とする請求項１から請求項４のいずれか記載の携帯通信端末装置。
【請求項６】
前記制御手段は、前記電子メール情報の音声変換に際して前記特定条件及び前記所定端末条件のうちの少なくとも一方に応じて予め設定された画像情報を表示させることを特徴とする請求項１から請求項５のいずれか記載の携帯通信端末装置。
【請求項７】
テキスト情報を音声情報に変換して出力する音声変換手段を含む携帯通信端末装置において前記音声変換手段を介して受信した電子メール情報を音声変換して出力するメール自動読上げ方法であって、
前記携帯通信端末装置側に、受信した電子メール情報が予め記憶された特定条件と一致しているか否かを判定する第１のステップと、自装置の使用状態が予め設定された所定端末条件に一致しているか否かを検出する第２のステップと、前記音声変換手段による前記電子メール情報の音声変換を制御する第３のステップとを有し、
前記第１のステップにて前記電子メール情報が前記特定条件に一致していると判定されかつ前記第２のステップにて自装置の使用状態が前記所定端末条件に一致していることが検出された時に、前記第３のステップにて前記音声変換手段を介して前記電子メール情報を音声変換して出力するよう制御することを特徴とするメール自動読上げ方法。
【請求項８】
前記第１のステップは、受信した電子メール情報の送信者情報と、前記受信した電子メール情報に含まれる文字及び文字列と、記号とのうちの少なくとも一つを前記特定条件として前記受信した電子メール情報の一致判定を行うことを特徴とする請求項７記載のメール自動読上げ方法。
【請求項９】
前記第３のステップは、前記特定条件に応じて予め設定された音声情報に基づいて前記電子メール情報を音声変換するように前記音声変換手段を制御することを特徴とする請求項７または請求項８記載のメール自動読上げ方法。
【請求項１０】
前記音声情報は、少なくとも音質、音量、語調、速度のいずれかを含むことを特徴とする請求項９記載のメール自動読上げ方法。
【請求項１１】
前記第３のステップは、前記電子メール情報の音声変換に際して前記特定条件及び前記所定端末条件のうちの少なくとも一方に応じて予め設定された効果音情報を出力するように前記音声変換手段を制御することを特徴とする請求項７から請求項１０のいずれか記載のメール自動読上げ方法。
【請求項１２】
前記第３のステップは、前記電子メール情報の音声変換に際して前記特定条件及び前記所定端末条件のうちの少なくとも一方に応じて予め設定された画像情報を表示させることを特徴とする請求項７から請求項１１のいずれか記載のメール自動読上げ方法。
【請求項１３】
テキスト情報を音声情報に変換して出力する音声変換手段を含む携帯通信端末装置において前記音声変換手段を介して受信した電子メール情報を音声変換して出力するメール自動読上げ方法のプログラムであって、コンピュータに、受信した電子メール情報が予め記憶された特定条件と一致しているか否かを判定する第１の処理と、自装置の使用状態が予め設定された所定端末条件に一致しているか否かを検出する第２の処理と、前記音声変換手段による前記電子メール情報の音声変換を制御する第３の処理とを実行させ、前記第１の処理にて前記電子メール情報が前記特定条件に一致していると判定されかつ前記第２の処理にて自装置の使用状態が前記所定端末条件に一致していることが検出された時に、前記第３の処理にて前記音声変換手段を介して前記電子メール情報を音声変換して出力するよう制御させるためのプログラム。
【発明の詳細な説明】
【技術分野】
【０００１】
本発明は携帯通信端末装置及びそれに用いるメール自動読上げ方法並びにそのプログラムに関し、特に携帯電話機等の携帯通信端末装置において電子メール情報を音声変換して出力するメール自動読上げ方法に関する。
【背景技術】
【０００２】
近年、携帯電話機等の携帯通信端末装置においては、音声通信以外に、電子メール等のテキスト文書の送受信、付属のディジタルカメラで撮影した画像（静止画や動画等）や表示画面に貼り付ける画像（静止画やアニメーション画像等）の送受信、着信メロディの音情報の送受信等が可能となってきている。
【０００３】
また、電子メール等のテキスト文書に対しては、テキスト文書を音声に変換するエンジン（Ｔｅｘｔ  Ｔｏ  Ｓｐｅｅｃｈエンジン）を備え、受信した電子メールのテキスト文書を音声にて読み上げるメール読み上げ機能を持つ携帯通信端末装置もある。
【０００４】
上記の携帯通信端末装置では、受信した電子メールの読み上げを行おうとした場合、通常、ユーザがキー操作入力によってメール読み上げ機能の選択及び実行を指示（入力）する必要があり、さらに電子メールを読み上げる音声情報（音質、音量、速度、語調、・・・）等を細かく指定しようとした場合、その操作入力が繁雑にものとなっている。
【０００５】
これらの問題を解決するために、従来の携帯通信端末装置では、テキストメールを受信し、その受信したテキストメールに予め定めた特定条件が含まれる時に、テキストメールを音声にて読み上げたり、その音声を予め設定された音声情報に応じて出力したり、画像や効果音等を付加したりする方法が提案されている（例えば、特許文献１〜５参照）。
【０００６】
【特許文献１】特開２００２−０７３４８１号公報
【特許文献２】特開２００２−１４９５６０号公報
【特許文献３】特開２００２−２６９００４号公報
【特許文献４】特開２００３−２３３３８５号公報
【特許文献５】特開平１１−１０２１９８号公報
【発明の開示】
【発明が解決しようとする課題】
【０００７】
上述した従来の携帯通信端末装置では、受信したテキストメールに予め定めた特定条件が含まれる時に、テキストメールを音声にて読み上げたり、その音声を予め設定された音声情報に応じて出力したり、画像や効果音等を付加したりする方法が提案されている。
【０００８】
しかしながら、音声にて読み上げたり、画像を表示したりする際には、電力を多量に消費することになるが、従来の携帯通信端末装置では、受信したテキストメールに予め定めた特定条件が含まれていれば、電池残量が少ない状態やマナーモードでない状態等の装置の状態にかかわりなく、上記の動作が実行されてしまう。
【０００９】
特に、マナーモードでない状態の場合には、テキストメールの内容が周りの人に聞かせたくないような時にも、スピーカ等から外部に読上げ音が流れてしまうことがある。
【００１０】
そこで、本発明の目的は上記の問題点を解消し、端末装置の状態に応じて少なくともメール読み上げ機能のオンオフ制御を容易に行うことができる携帯通信端末装置及びそれに用いるメール自動読上げ方法並びにそのプログラムを提供することにある。
【課題を解決するための手段】
【００１１】
本発明による携帯通信端末装置は、テキスト情報を音声情報に変換して出力する音声変換手段を含む携帯通信端末装置であって、
受信した電子メール情報が予め記憶された特定条件と一致しているか否かを判定する判定手段と、前記音声変換手段による前記電子メール情報の音声変換を制御する制御手段と、自装置の使用状態が予め設定された所定端末条件に一致しているか否かを検出する端末条件検出手段とを備え、
前記判定手段にて前記電子メール情報が前記特定条件に一致していると判定されかつ前記状態検出手段にて自装置の使用状態が前記所定端末条件に一致していることが検出された時に、前記制御手段が前記音声変換手段を介して前記電子メール情報を音声変換して出力するよう制御している。
【００１２】
本発明によるメール自動読上げ方法は、テキスト情報を音声情報に変換して出力する音声変換手段を含む携帯通信端末装置において前記音声変換手段を介して受信した電子メール情報を音声変換して出力するメール自動読上げ方法であって、
前記携帯通信端末装置側に、受信した電子メール情報が予め記憶された特定条件と一致しているか否かを判定する第１のステップと、自装置の使用状態が予め設定された所定端末条件に一致しているか否かを検出する第２のステップと、前記音声変換手段による前記電子メール情報の音声変換を制御する第３のステップとを備え、
前記第１のステップにて前記電子メール情報が前記特定条件に一致していると判定されかつ前記第２のステップにて自装置の使用状態が前記所定端末条件に一致していることが検出された時に、前記第３のステップにて前記音声変換手段を介して前記電子メール情報を音声変換して出力するよう制御している。
【００１３】
本発明によるメール自動読上げ方法のプログラムは、テキスト情報を音声情報に変換して出力する音声変換手段を含む携帯通信端末装置において前記音声変換手段を介して受信した電子メール情報を音声変換して出力するメール自動読上げ方法のプログラムであって、コンピュータに、受信した電子メール情報が予め記憶された特定条件と一致しているか否かを判定する第１の処理と、自装置の使用状態が予め設定された所定端末条件に一致しているか否かを検出する第２の処理と、前記音声変換手段による前記電子メール情報の音声変換を制御する第３の処理とを実行させ、前記第１の処理にて前記電子メール情報が前記特定条件に一致していると判定されかつ前記第２の処理にて自装置の使用状態が前記所定端末条件に一致していることが検出された時に、前記第３の処理にて前記音声変換手段を介して前記電子メール情報を音声変換して出力するよう制御させている。
【００１４】
すなわち、本発明の携帯通信端末装置は、テキストメールを音声に変換するエンジン（Ｔｅｘｔ  Ｔｏ  Ｓｐｅｅｃｈエンジン）を搭載した端末装置において、受信した際に電子メール本文の内容が下記の特定条件に相当する場合にのみ電子メール本文を自動的に読み上げるメール読み上げ機能を備え、このメール読み上げ機能のオンオフ制御を現在の装置の状態が予め設定された装置の状態のいずれかに一致する時のみ行う制御手段を有している。
【００１５】
尚、上記の特定条件とは、例えば、（１）電話帳登録されたアドレスや特定アカウントアドレス等の特定アドレスからの電子メールである場合、（２）電子メール本文や電子メールタイトルに特定文字（単語、絵文字、文章等）が含まれる電子メールの場合等である。
【００１６】
また、装置の状態とは、ヘッドセット使用中、筐体の相互位置が開状態または閉状態、電池残量（小）、電池充電中、マナーモードの設定の有無、端末装置の位置情報、現在の時間情報（日時曜日）等であり、これらの状態のいずれかが検出された時、本発明の携帯通信端末装置では受信した電子メールの自動読上げを抑止する。
【００１７】
より具体的に説明すると、本発明の携帯通信端末装置では、テキスト情報を音声情報に変換して出力する音声変換手段を備えた端末装置において、受信した電子メール情報の内容が予め記憶された特定条件と一致しているか否かを判定する判定手段と、音声変換手段による電子メール情報の音声変換を制御する制御手段と、端末装置の使用状態が予め設定された所定端末条件に一致しているか否かを検出する端末条件検出手段とを備え、判定手段にて電子メール情報の内容が特定条件に一致していると判定され、かつ状態検出手段にて端末装置の使用状態が所定端末条件に一致していることが検出された時に、制御手段が音声変換手段を介して電子メール情報を音声変換して出力するよう制御することを特徴とする。
【００１８】
これによって、本発明の携帯通信端末装置では、携帯電話機等の通信機器において、所定端末条件を検出した時にのみ電子メールの読み上げを行うように自動設定することが可能になるため、ユーザが手間をかけずに簡易に読み上げ機能を使用することが可能となる。
【００１９】
この場合、例えば、特定送信者（特定アカウント）からのメールのみ自動読み上げを設定することで、ユーザが読み上げて欲しい（あるいは読み上げて欲しくない）電子メールを取捨選択することが容易に実現可能となる。
【００２０】
また、端末装置の状態としては、例えば、ヘッドセット使用中、筐体の相互位置が開状態または閉状態、電池残量（小）、電池充電中、マナーモードの設定の有無、端末装置の位置情報、現在の時間情報（日時曜日）等が予め設定された所定端末条件に一致しているか否かを検出し、所定端末条件と合致した場合にのみ受信した電子メールの自動読上げを行うので、ユーザが本来読み上げて欲しい電子メールではあるが、端末装置の状態（あるいはユーザの状態）によってそれが望ましくない場合に音声出力を行わず、また出力された場合でも簡単な操作（例えば、開状態でのみ音声出力を行う設定の場合に、素早く閉状態にする等の操作）によって音声出力を中断することが可能となる。
【発明の効果】
【００２１】
本発明は、以下に述べるような構成及び動作とすることで、端末装置の状態に応じて少なくともメール読み上げ機能のオンオフ制御を容易に行うことができるという効果が得られる。
【発明を実施するための最良の形態】
【００２２】
次に、本発明の実施例について図面を参照して説明する。図１は本発明の一実施例による携帯通信端末装置の構成を示すブロック図であり、図２（ａ）は本発明の一実施例による携帯通信端末装置の正面図であり、図２（ｂ）は本発明の一実施例による携帯通信端末装置の背面図である。
【００２３】
これら図１及び図２において、携帯通信端末装置１は通話（テレビ電話を含む）、電子メールの送受信、ｗｅｂ接続、カメラ、測位等の各機能を備え、上部筐体３１と下部筐体３２とがヒンジ３０を介して開閉自在に結合された折畳みタイプの携帯電話端末である。
【００２４】
また、携帯通信端末装置１はアンテナ１１と、無線通信部１２と、測位部（ＧＰＳ：Ｇｌｏｂａｌ  Ｐｏｓｉｔｉｏｎｉｎｇ  Ｓｙｓｔｅｍ）１３と、第１カメラ部１４と、第２カメラ部１５と、主操作部１６と、副操作部１７と、送受話部１８と、報知用のスピーカ１９と、主表示部２０と、副表示部２１と、状態検出部２２と、記憶部２３と、音声合成部２４と、マイク２５と、受話用のスピーカ２６と、条件判定部２７と、制御部２８と、ＧＰＳアンテナ２９とから構成されている。
【００２５】
無線通信部１２は図示せぬ無線基地局との間で無線信号を送受信する。測位部１３はＧＰＳアンテナ２９を介して図示せぬＧＰＳ衛星からの信号を受信し、自端末の位置の測位を行う。
【００２６】
第１カメラ部１４は画像の撮影が可能であり、上部筐体３１の内面端部側に配設され、折畳みタイプの携帯電話端末が開状態でのみ使用可能となっている。第２カメラ部１５は画像の撮影が可能であり、上部筐体３１の外面端部側に配設され、折畳みタイプの携帯電話端末が開／閉状態に係わらず使用可能となっている。
【００２７】
主操作部１６は下側筐体３２の内面側に配設され、各種情報入力を行うためのテンキー、スクロール／決定キー等から構成されている。副操作部１７は下側筐体３２の側面に配設され、上部筐体３１と下部筐体３２とが閉じた状態でも選択（上下スクロール）、決定等の操作が可能となっている。
【００２８】
送受話部１８は自端末における音声信号処理を行い、マイク２５及び受話用のスピーカ２６は送受話部１８への入力、出力を行う。報知用のスピーカ１９は報知音等を出力する。主表示部２０は上部筐体３１の内面側に配設され、各種情報表示を行う。副表示部２１は上部筐体３１の外面側に配設され、情報表示を行う。
【００２９】
状態検出部２２は上部筐体３１と下部筐体３２との相互位置（開閉状態）の検出、イヤホンマイク端子への接続有無の検出、電池残量、マナーモードの設定の有無等の検出を行う。
【００３０】
記憶部２３は通信先の電話番号や電子メールアドレス等からなる電話帳情報、電子メール文書（テキスト文書）等からなる送受信メール情報、通話や電子メールの発着呼を示す発着呼情報、携帯通信端末装置１の各種設定［例えば、特定情報（メール自動読み上げ）の設定等］を記憶するともに、制御部２８で実行されるプログラム（コンピュータで実行可能なプログラム）を記憶する。
【００３１】
音声合成部２４は受信した電子メール情報（テキスト文書）を所定の音声情報（音質、音量、速度、語調）に基づいて音声信号に変換する。制御部２８は携帯通信端末装置１の各部の制御を行い、電話、メール、ｗｅｂ接続、カメラ、測位、音声合成等の各種機能／機能部の制御や設定内容（例えば、特定条件や所定端末条件等）との比較判定を行う条件判定部２７を含んでいる。
【００３２】
図３は図１の記憶部２３に記憶される設定内容を示す図である。図３において、記憶部２３には設定内容として、特定条件と、端末条件と、合成音声情報と、効果音情報とが記憶されている。
【００３３】
特定条件が「電話帳、グループ＃１登録」の場合には、端末条件が「開状態、時間帯（１７：００〜２２：００）」の時に、「音質：女性（成人）、速度：大（速い）、・・・」という合成音声情報にしたがって読み上げが行われることが記憶されている。この場合には、効果音を「挿入しない」という効果音情報が設定されている。
【００３４】
特定条件が「電話帳、グループ＃３登録、文字（文字列）記号、メッセージ『緊急』」の場合には、端末条件が「イヤホンマイク（端子）接続」の時に、「音質：女性（子供）、速度：中（普通）、・・・」という合成音声情報にしたがって読み上げが行われることが記憶されている。この場合には、効果音を「挿入する、頻度：５０語／回以下」という効果音情報が設定されている。
【００３５】
特定条件が「メールアドレス、ａ−ｂｃｄｅ＠ｆｇｈｉ．ｃｏｍ」の場合には、端末条件が「開状態、イヤホンマイク（端子）接続、位置（ＸＸエリア）」の時に、「音質：男性（成人）、速度：大（速い）、・・・」という合成音声情報にしたがって読み上げが行われることが記憶されている。この場合には、効果音を「挿入しない」という効果音情報が設定されている。
【００３６】
特定条件が「メールアドレス、＊＊＊＊＊＊＠ｘｙｚ．ｃｏｍ」の場合には、端末条件が「端末条件なし」の時に、「音質：女性（成人）、速度：小（遅い）、・・・」という合成音声情報にしたがって読み上げが行われることが記憶されている。この場合には、効果音を「挿入する、頻度：３０語／回以下」という効果音情報が設定されている。
【００３７】
特定条件が「文字（文字列）記号、件名『ＡＢＣＤＥ』」の場合には、端末条件が「端末条件なし」の時に、「音質：男性（老人）、速度：中（普通）、・・・」という合成音声情報にしたがって読み上げが行われることが記憶されている。この場合には、効果音を「挿入する、頻度：１００語／回以下」という効果音情報が設定されている。
【００３８】
特定条件が「文字（文字列）記号、メッセージ『携帯電話』」の場合には、端末条件が「電池残量５０％以上、開状態」の時に、「音質：女性（子供）、速度：小（遅い）、・・・」という合成音声情報にしたがって読み上げが行われることが記憶されている。この場合には、効果音を「挿入しない」という効果音情報が設定されている。
【００３９】
図４は本発明の一実施例による携帯通信端末装置１の動作を示すフローチャートである。これら図１〜図４を参照して本発明の一実施例による携帯通信端末装置１の動作について説明する。尚、図４に示す動作は制御部２８が記憶部２３のプログラムを実行することで制御することができる。
【００４０】
携帯通信端末装置１は図示せぬ携帯電話基地局から自端末宛の電子メールを受信すると（図４ステップＳ１）、現在の設定が受信メールの音声自動読み上げ設定となっているか否かを判定する（図４ステップＳ２）。尚、受信メールの音声自動読み上げ設定は、主操作部１６にて行われるユーザの入力操作によって設定され、その設定内容は記憶部２３に格納されている。
【００４１】
現在の設定が受信メールの音声自動読み上げ設定となっている場合、携帯通信端末装置１は受信した電子メール情報に、予めユーザによって設定された特定条件が含まれるか否かを判定する（図４ステップＳ３）。この特定条件とは、例えば、電話帳登録済アドレスや特定アカウントアドレス等の特定アドレスからの電子メールであるか否か、メール件名やメッセージ中に特定文字や記号［文字（文字列）、単語、絵文字、文章等］が含まれるメールであるか否か、あるいは電話帳登録済や特定アドレスからの受信メールで、かつ特定文字や記号が含まれるか否か等である。
【００４２】
例えば、図３に示すように、特定条件として文字（件名『ＡＢＣＤＥ』、メッセージ『携帯電話』等）を設定しておき、受信した電子メールに当該文字が含まれている場合、携帯通信端末装置１は受信した電子メールの音声自動読み上げを行うステップに移行する。
【００４３】
携帯通信端末装置１は特定条件と一致した場合（図４ステップＳ４）、予め選択・設定された合成音声情報（音質、速度、音量、語調、・・・）に基づいて、音声変換・合成部２４にて電子メール情報を音声信号に変換し（図４ステップＳ５，Ｓ６）、報知用のスピーカ１９から音声出力する（図４ステップＳ９）。すなわち、携帯通信端末装置１では、受信した電子メールの自動読み上げが行われる。
【００４４】
尚、端末装置の状態としては、例えば、ヘッドセットが使用中のみ、筐体の相互位置が開状態あるいは閉状態のみ、電池残量が所定値以上、端末装置の位置情報（××エリア内のみ）、現在の時間情報（日時曜日限定）等があるが、状態検出部２２にてこれらのうちのいずれかが検出された時にその端末装置の状態が予め設定された所定端末条件と一致しなければ（図４ステップＳ８）、音声合成出力を行わない。尚、本実施例では、状態検出部２２による端末装置の状態の検出結果が所定端末条件と一致しない時に音声合成出力を行わないようにしているが、端末装置の状態の検出結果が所定端末条件と一致した時に音声合成出力を行わないようにすることも可能である。
【００４５】
携帯通信端末装置１は音声合成出力中に、状態検出部２２にて端末装置の状態変化を監視し続け、当該端末装置の状態が予め設定された端末条件と一致しなくなった場合、音声合成出力を中止する（図４ステップＳ７〜Ｓ１０）。
【００４６】
このように、本実施例では、携帯電話機等の携帯通信端末装置１において電子メールの自動読み上げ設定が可能になるため、ユーザが手間をかけずに簡易に読み上げ機能を使用することができる。また、本実施例では、例えば、特定送信者（特定アカウント）からの電子メールのみに自動読み上げ設定することによって、ユーザが読み上げて欲しい（あるいは読上げて欲しくない）電子メールを容易に取捨選択することができる。
【００４７】
さらに、本実施例では、端末装置の状態として、例えば、ヘッドセット使用中、筐体の相互位置が開状態又は閉状態、電池残量（小）、電池充電中、マナーモードの設定の有無、端末装置の位置情報、現在の時間情報（日時曜日）等を検出し、予め設定した条件と合致した場合のみ受信した電子メールの自動読み上げを行うので、ユーザが本来読み上げて欲しいメールではあるが、端末装置の状態（あるいはユーザの状態）によってそれが望ましくない場合には音声出力を行わず、また出力された場合でも簡単な操作（例えば、閉状態でのみ音声出力を行う設定の場合に、素早く閉状態にする操作等）によって音声出力を中断することができる。
【００４８】
図５は本発明の他の実施例による携帯通信端末装置の動作を示すフローチャートである。本発明の他の実施例による携帯通信端末装置の構成は図１及び図２に示す本発明の一実施例による携帯通信端末装置の構成と同様であるので、これら図１と図２と図５とを参照して本発明の他の実施例による携帯通信端末装置１の動作について説明する。尚、図５に示す動作は制御部２８が記憶部２３のプログラムを実行することで制御することができる。
【００４９】
本発明の他の実施例による携帯通信端末装置１は、特定条件（端末装置の状態を含む）と一致した場合、予め選択・設定された合成音声情報（音質、速度、音量、語調、・・・）に基づいて（図５ステップＳ１１，Ｓ１２）、音声変換・合成部２４によって電子メール情報を音声信号に変換し（図５ステップＳ１５）、スピーカ１９から音声出力する（図５ステップＳ１９）。
【００５０】
その際に、本実施例では、所定の頻度（または回数）によって効果音（音声）情報を挿入するものである。所定の頻度としては、例えば、メッセージ中の単語数に応じて挿入する効果音情報数（上限）を設定し、この設定値以上となる場合に間引くようにする等の動作が行われる。
【００５１】
例えば、携帯通信端末装置１は、受信した電子メールのテキスト情報を解析し、予め設定したキーワードとの対比から効果音情報及び挿入位置が決定さる。すなわち、電子メールのメッセージ中の『爆発』という文字に対しては爆発音情報が選択され、電子メールの読み上げの合成音声出力の際の当該「爆発」を読み上げる時（または直後）に、効果音情報として、爆発音情報が出力される。
【００５２】
本実施例では、受信した電子メール情報の自動読み上げ（合成音声）において、効果音情報が挿入されるので、自動読み上げをより楽しめるものとすることができる。尚、本実施例では、効果音情報に代えて所定の画像情報を主表示部２０に表示させるようにしてもよい。
【図面の簡単な説明】
【００５３】
【図１】本発明の一実施例による携帯通信端末装置の構成を示すブロック図である。
【図２】（ａ）は本発明の一実施例による携帯通信端末装置の正面図、（ｂ）は本発明の一実施例による携帯通信端末装置の背面図である。
【図３】図１の記憶部に記憶される設定内容を示す図である。
【図４】本発明の一実施例による携帯通信端末装置の動作を示すフローチャートである。
【図５】本発明の他の実施例による携帯通信端末装置の動作を示すフローチャートである。
【符号の説明】
【００５４】
１  携帯通信端末装置
１１  アンテナ
１２  無線通信部
１３  測位部
１４  第１カメラ部
１５  第２カメラ部
１６  主操作部
１７  副操作部
１８  送受話部
１９  報知用のスピーカ
２０  主表示部
２１  副表示部
２２  状態検出部
２３  記憶部
２４  音声合成部
２５  マイク
２６  受話用のスピーカ
２７  条件判定部
２８  制御部
２９  ＧＰＳアンテナ
３０  ヒンジ
３１  上部筐体
３２  下部筐体
【図１】
2005250710.tif 000003
【図２】
2005250710.tif 000004
【図３】
2005250710.tif 000005
【図４】
2005250710.tif 000006
【図５】
2005250710.tif 000007